(57)【要約】【課題】エレベーターのかごを停止するためのブレーキかごをつるしたロープの切断、ロープのすべり等の故障で事故が起きている。【解決手段】課題を解決する手段としては、従来のブレーキ類ではなく、ブレーキ用のロープを使用したり、エレベーターのかごの上に取付けた踏ん張り機械を使用してかごを停止したり、又速度計のセンサーを使い電気モーターで機械的油圧的に伸縮機械を伸ばし、ガイドレールに対し踏ん張りかごを停止する装置と方法。或はブレーキ用ロープによるクサビを利用したガイドレールをグリップすることによるかごの停止の装置と方法。【選択図】図１５
2009084042.tif 000002
【特許請求の範囲】
【請求項１】
エレベーターのかごのガイドレール又は、他の柱を保持したり、或は巾止めをしないガードレールに対し、通常の電気、蓄電池又は発電機によりかごに取付けられた速度計のセンサーでかごに取付けられたか、又は昇降路の上部にある電気モーター等を動かし、かごの外にあるブレーキ用伸縮機械を機械的、油圧的に動かしガイドレールに対し踏ん張ってエレベーターのかごを一時停止、又は上昇下降し移動することを特徴とした装置。
【請求項２】
エレベーターのかごが急激に上昇又は下降することにより、エレベーターの昇降路の上部に固定されたブレーキ用機械で昇降路内を一巡しているブレーキ用ロープを押さえ、固定されたブレーキ用ロープがエレベーターのかごに取付けられた伸縮機械を引張り、ガイドレール等に対し踏ん張り、かごを一時停止又は上昇下降し移動することを特徴とした装置。
【請求項３】
請求項１・２記載のガイドレールに対するエレベーターのかごに取付けられた踏ん張る伸縮機械の接点に車輪等を取付けたり、伸縮機械の曲り部分にあるハンドルの回転により、ネジ棒やロープで伸縮機械を動かし、かごを一時停止又は上下に移動することを特徴とした装置。
【請求項４】
エレベーターのかごが急激に上昇又は下降することにより、エレベーターの昇降路の上部又は上部と下部に固定されたブレーキ用機械につながっているロープ又はバネ付き用ロープのクサビがエレベーターのかごに固定されたガイドレールを保持している機械の中に入り固定し、かごの重量でかごが停止することを特徴とした装置。
【請求項５】
エレベーターのかごが急激に上昇又は下降することにより、エレベーターの昇降路の上部又は上部と下部に固定された請求項４記載のブレーキ用機械につながっているブレーキ用のロープ又はバネ付きブレーキ用ロープが、かごに取付けられた請求項２記載の伸縮機械を引張りガイドレール等に対し踏ん張り、かごを一時停止することを特徴とした装置。
【請求項６】
エレベーターのかごが急下降急上昇の時、通常の電気、蓄電池又は発電機よりかごに取付けられた１〜複数の速度計のセンサーでかごに取付けられた電気モーターを動かし、かごの外にあるブレーキ用伸縮機械を機械的、油圧的に動かし、上下直通のロープ又、昇降路を一巡しているブレーキ用ロープを複数の滑車又は板類等で相互にはさみ、かごを停止し又は上昇下降することを特徴とした装置。
【請求項７】
エレベーターのかごが急下降急上昇の時、通常の電気、蓄電池又は発電機よりかごに取付けられた１〜複数の速度計のセンサーでかごに取付けられた電気モーターを動かし、かごの外にあるブレーキ用伸縮機械を機械的、油圧的に動かし、上下直通のロープ又、昇降路を一巡しているブレーキ用ロープ又はエレベーターのかごをつっているロープをかごの上部だけ又は上部と下部で引張り寄せ合い、かごを停止し又は上昇下降することを特徴とした装置。
【請求項８】
エレベーターのかごが急下降急上昇の時、昇降路の上部又は上部と下部に取付けられた請求項４記載のブレーキ用機械で上下に取付けたロープ、昇降路を一巡しているブレーキ用ロープをかごの上部或は上部と下部で引張り寄せ合い、エレベーターのかごを停止する装置。
【請求項９】
請求項１・２・３・４・５・６・７  ８記載の装置を使用して、それぞれにエレベーターのかごが一時停止する方法。
【発明の詳細な説明】
【技術分野】
【０００１】この発明はエレベーターのかごの外にブレーキ用伸縮機械を直接保持し、機械的油圧的に動かし又ブレーキ用のロープでかごを一時止めたり、又電気などの装置を必要とせずにかごの重量がブレーキとなり、ガイドレール保持している装置の中にクサビが入りかごを停止する装置に関する。
【背景技術】
【０００２】従来のエレベーターのかごに対するブレーキは、エレベーターの昇降路の上にあるかごをつるしたロープをつかんだり、又モーターのドラムのブレーキ或はガイドレールに対するクサビ式等があり、二重、三重の安全装置として使用されているが、それでも益々エレベーターのかごが上昇下降したり、ロープが不適でワイヤーロープの破断が相次いで起り、事故が多発し問題がありテレビや新聞等で報道され、二重安全装置をエレベーターに取付けるように立法化される予定とのことである。
【発明の開示】
【発明が解決しようとするための課題】
【０００３】この発明は背景技術の問題点を解決し、エレベーターは更に安全な乗物として幾重にもブレーキを使用し、事故をなくすことを目的とし、従来のブレーキが故障した時かごに装備してある直接のブレーキ又かごの重量がブレーキとなり一時停止することを特徴とした装置。
【課題を解決するための手段】
【０００４】１番目のブレーキは、エレベーターのかごに取付けられた１〜複数の速度計のセンサーにより、急激なかごの上下移動を感知し、かごに取付けられたか又昇降路の上部にある電気モーターの働きにより、かごの外にある伸縮機械を機械的、油圧的に動かし巾止めされたガイドレールか又そのままのガイドレールに対し、踏ん張ってかごを一時停止したり、エレベーターのかごに電気が通っている場合は、上下に移動することが出来る装置である。
【０００５】２番目は、エレベーターのかごのロープ又は電気モーターの故障によりブレーキが効かなかった時、かごが急激に下降或は上昇するのを防止するため、昇降路の上部に固定されたブレーキ用機械でエレベーターの昇降路を一巡しているブレーキ用ロープを押え、固定されたロープがエレベーターのかごに取付けられた伸縮機械を引張り、ガイドレールに対し踏ん張りかごを一時停止又は上下に移動することを特徴とした装置である。
【０００６】３番目は、請求項２・３・５記載のガイドレール等とエレベーターのかごに取付けた踏ん張る機械の接点に１〜複数の車輪を取り付け、エレベーターのかごが急激に上昇又下降時相当の摩擦熱が発生するので少しでも緩和するため車輪を使用し、通常のかごが移動の時車輪はガイドレールに接するか或は接しないで移動する時もある。又ガイドレールの他にガイドレールの横に柱を建て伸縮機械と接することも出来る。伸縮機械のハンドルの回転により、ネジ棒やロープ等で伸縮機械を水平に動かし、ガイドレールに踏ん張りエレベーターのかごを一時停止又上下に移動することが出来る。
【０００７】４番めは上部又下部に取り付けつながったロープの中にクサビを取り付け、エレベーターが急下降、急上昇の時かごの重量でクサビがガイドレールを保持している装置の中に入り、かごが一時停止する装置。
【０００８】５番目は、昇降路の上部又下部に固定されたブレーキ用機械と請求項２のエレベーターのかごに取付けられた伸縮機械を組合せて出来たエレベーターのかごを急下降急上昇の時停止する装置。
【０００９】６番目はブレーキ用ロープを複数の滑車又は板類等で相互にはさみ、かごを停止し又は上昇下降することを特徴とした装置。
【００１０】７番めはかごの外にあるブレーキ用伸縮機械を機械的、油圧的に動かし、上下直通のロープ又、昇降路を一巡しているブレーキ用ロープ又はエレベーターのかごをつっているロープをかごの上部だけ又は上部と下部で引張り寄せ合い、かごを停止し又は上昇下降することを特徴とした装置。
【００１１】８番目は、昇降路を一巡しているブレーキ用ロープーをかごの上部或は上部張り寄せ合い、エレベーターのかごを停止する装置。
【００１２】９番めは請求項１・２・３・４・５・６・７  ８記載の装置を使用して、それぞれにエレベーターのかごが一時停止する方法。
【発明の効果】
【００１３】この発明は、エレベーターのかごがロープの破断や電気モーター、ブレーキ用ドラム等の故障或はロープ巻上げ機によるロープのすべり等でかごが急上昇、急下降する場合にかごに取付けたか又昇降路の上部にある速度計のセンサーにより、電気モーター、蓄電池又発電機等が動き、かごに取付けたブレーキ用機械でガイドレールに対し踏ん張り、かごを止める効果がある。
【００１４】急激に上昇又下降したエレベーターのかごを停止するために昇降路の上部に固定されたブレーキ用機械で昇降路の中を一巡しているブレーキ用ロープを固定し、そのロープがエレベーターのかごの重量で外にあるブレーキ用伸縮機械を引張り、ガイドレールに対する伸縮機械が踏ん張り、エレベーターのかごを電気等の動力を使用しなくても一時停止する効果がある。
【００１５】エレベーターのかごに取付けた伸縮機械のガイドレールに接する接点に急激なエレベーターのかごの上昇又下降の時起きる摩擦熱を防ぐため、車輪を１〜複数取付けることにより少しでも摩擦熱を緩和する効果がある。
【００１６】エレベーターのかごを止める時、ガイドレールにかごに取付けられたブレーキ用伸縮機械が踏ん張ってもガイドレールの巾が広がらないようにエレベーターのかごに巾止め用の機械を取付ければガイドレールの巾を守る効果がある。
【００１７】請求項４記載のかごが急上昇急下降の時、バネを保持したか又保持しないブレーキ用ロープにつるしたクサビがかごの重量でガイドレールをグリップする装置の中に入り、かごを止める効果がある。
【００１８】かごが急上昇急下降の時、１〜複数の速度計のセンサーより電気を通じて電気モーターにて、かごの外にある伸縮機械を機械的油圧的に動かし、ブレーキ用ロープを複数の滑車又は板類等で相互にはさみかごを停止し、上昇又は下降することが出来る効果がある。
【００１９】かごが急上昇急下降の時、１〜複数の速度計のセンサーより電気を通じて電気モーターにて、かごの外にある伸縮機械を機械的油圧的に動かし、ブレーキ用ロープ又はかごをつっているロープをかごの上部だけ又上部と下部で寄せ合いかごを停止する効果がある。
【００２０】かごが急上昇急下降の時、請求項４記載のブレーキ用機械にてブレーキ用ロープを押え停止し、ブレーキ用ロープにバネが取付けるか又取付けないロープを上下に取付けたロープ、昇降路を一巡しているブレーキ用ロープ又かごをつっているロープ等をかごの上部或は上部と下部で引張り寄せ合いエレベーターのかごを停止する効果がある。
【００２１】請求項１・２・３・４・５・６・７・８記載の装置を使用し、それぞれのエレベーターのかごを停止する効果がある。
【発明を実施するための最良の形態】
【００２２】エレベーターのかごのガイドレール又、他の柱の巾止めをするか或は巾止めをしないガイドレールに対し、エレベーターのかごに直接取付けられたか又、昇降路の上部に取付けられた通常の電気、蓄電池又発電機によりエレベーターのかごが急上昇急下降の時、かご等に取付けられた速度計のセンサーが働き、かごの外にあるブレーキ用伸縮機械を機械的、油圧的に動かし、ガイドレールに向かって踏ん張りエレベーターのかごを一時停止又上下に移動する装置。【００２３】エレベーターのかごが急激に上昇又下降することにより、エレベーターの昇降路の上部に固定されたブレーキ用機械の一部をエレベータのかごを一巡しているブレーキ用ロープで急激に引張るため、ブレーキ用機械の一部がロープを押え固定する。固定されたロープは急上昇急下降し、かごに取付けられたブレーキ用の伸縮用機械を水平近くに引張り、かごを一時停止又は上下に移動する装置。【００２４】エレベーターのかごに取付けた踏ん張る伸縮機械とガイドレールの接点は、１〜複数の車輪を取付け、急上昇又急下降の時、摩擦熱が少なくなるようにしたものであり、通常の時はガイドレールと接するか或は接しないで移動する場合もある。又ガイドレールの他にガイドレールの横に柱を建て伸縮機械と接することも出来る。又かごに取付けられたブレーキ用伸縮機械の曲り部分にあるハンドルの回転によりネジ棒やロープ等で伸縮機械を水平近くに動かし、ガイドレールに対し踏ん張り、エレベーターのかごを一時停止又は上昇下降し移動する装置。【００２５】エレベーターの昇降路の上部又は上部と下部に固定されたブレーキ用機械につながっているロープのクサビが、エレベーターのかごに固定されたガイドレールを保持している機械の中に入り固定し、かごが停止するブレーキの装置であるが、下部の装置はかごが上昇した時が目的であり、上部の装置とは上下が反対となって取付けてある。【００２６】請求項４記載の昇降路の上部又は上部と下部に固定されたブレーキ用機械と請求項１・２記載のモーターを利用し、伸縮機械でかごを停止又、請求項２のエレベーターのかごに取付けられた伸縮機械を組み合わせて出来たエレベーターのかごを一時停止する装置。【００２７】請求項１記載の機械的油圧的の伸縮機械にてブレーキ用のロープを複数の滑車又は板類等で相互にはさみ込みかごを停止する装置。【００２８】請求項１記載の機械的油圧的の伸縮機械にてブレーキ用のロープ又はエレベーターのかごをつっているロープをかごの上部又は上部と下部で寄せ合いかごを停止する装置。【００２９】請求項４記載のブレーキ用機械にてエレベーターが急下降急上昇の時、ブレーキ用ロープ、昇降路を一巡しているロープ或はかごをつっているロープ等をかごの上部又上部と下部で引張り寄せ合いかごを停止する装置。【００３０】請求項１・２・３・４・５・６・７・８記載の装置を使用し、かごを停止する方法。
【実施例】
【００３１】エレベーターのかごの上部に取付けられた機械的な伸縮機械でありエレベーターのかごが急上昇急下降の時▲１▼の１〜複数のセンサーの働きにより▲２▼の電気モーターが動き▲３▼のネジ棒を回転させて▲４▼の伸縮機械を押し▲５▼の車輪が▲６▼のガイドレールを踏ん張る装置である。▲７▼のガイドレールの巾止めは▲４▼の棒が伸びた時広がらないように巾止めとしてかごに取付けたものである。▲４▼の棒の先端は▲５▼の車輪は複数の時もあれば付けなくて良い時もある。【００３２】エレベーターの上部に取付けられた油圧的な伸縮機械であり、エレベーターのかごが急上昇急下降の時▲１▼の１〜複数のセンサーの働きにより▲２▼の電気モーターが動き▲８▼の油圧の作用することにより▲４▼の棒を伸ばし▲５▼の車輪が▲６▼のガイドレールを踏ん張る装置である。【００３３】かごが急上昇急下降の時▲４▼の棒が伸びて▲５▼の車輪をガイドレールに押しつけた時又▲７▼のガイドレール巾止め装置がガイドレールに接しよくした時の平面図である。【００３４】エレベーターの昇降路の簡単な断面である。▲９▼の装置は▲１２▼の昇降路の上に取り付け▲１０▼のブレーキ用ロープを▲１１▼のエレベーターのかごが急上昇又急下降の時押え停止する▲９▼の機械である。通常は▲１０▼のロープを開放し▲１１▼のエレベーターのかごにより▲１２▼の昇降路を▲１３▼の滑車を通し一巡している。【００３５】▲１１▼のエレベーターが急上昇又急下降した時▲１１▼のかごの重量で▲９▼のブレーキ用機械を引張り▲２２▼のストッパーに当り▲１０▼のブレーキ用ロープを押え停止する。▲１４▼は▲９▼の機械を平常にもどすバネである。▲９▼の機械の内下にある▲９Ａ▼はエレベーターのかごが急降下したときのロープストッパーの機械であり▲９Ｂ▼はかごが急上昇した時のロープストッパーの機械である。▲１５▼は滑車としてロープの摩擦熱を少しでもやわらげるものである。▲９Ａ▼・▲９Ｂ▼のすっとパーのロープを押える処は凹凸面でもよい。【００３６】エレベーターのかごの外に取付けられた伸縮機械は▲１０▼のブレーキ用ロープには▲１０Ａ▼のバネを保持したブレーキ用ロープか保持しないロープかが▲１７▼の伸縮機械の頂点よりつながっている状態である。【００３７】▲１７▼の機械を▲１６▼のハンドルで上下にするためのネジ棒である。【００３８】▲１７▼の機械が伸びて▲６▼ガイドレールに対し踏ん張った状態である。【００３９】Ａ図は▲１７▼の伸縮機械が伸びた状態でＢ図は▲Ａ▼〜▲Ａ▼断面図。【００４０】Ｃは▲１７▼の伸縮機械の折れ曲がりの処が平常になった断面図。【００４１】Ｅ図は▲１６▼のハンドルを上から見た▲Ｂ▼〜▲Ｂ▼平面図。【００４２】エレベーターの昇降路の断面図で上部に▲２３▼のブレーキ用機械があり、下部の▲２３▼のブレーキ用機械はエレベーターの急上昇を押えるために上部の▲２３▼のブレーキ用機械を上下逆さまにした装置で上下のロープはクサビを通して一体化されている。これはかごが急降下の時は上部の装置だけでも良い。【００４３】上部下部にある▲２３▼のブレーキ用機械の仕組みであるが、▲２６▼のロープの押さえ、歯車のストッパーと▲２４▼のロープのドラム▲２５▼の減速用の歯車の構図であり、▲１０▼のロープをかごが事故の時▲２５▼の歯車で減速し、▲２５▼の歯車のストッパーで▲１０▼のロープを止める装置。▲１０▼のロープはクサビにつながってかごを停止する方法又、▲２３▼のブレーキ用機械を使用し▲１０▼のロープが請求項１・２記載の機械的又油圧的に或はロープで引張れる▲４▼の伸縮機械を動かし、▲１１▼のかごを停止する装置と方法が出来る。【００４４】▲１０▼のロープが平常に動いている時の▲２６▼のストッパーで▲１４▼のバネで引張られている。【００４５】Ｄ〜Ｄ断面図で▲１１▼のかごが急降下の時▲１０▼のロープに引張られた▲２８▼のクサビが▲１１▼のかごの重量により下降した時▲３０▼のガイドレールを保持している中に▲２８▼のクサビが入り▲１１▼のかごが停止する。【００４６】▲１１▼のエレベーターのかごが急上昇急下降の時、▲１▼の速度計の１〜複数のセンサーにより▲２▼の電気モーターが動き、▲１１▼のエレベーターのかごの外部に取付けられた▲４▼の機械的油圧的な伸縮機械にて▲１０▼のロープをはさむ▲３２▼の滑車又板類等を引張り、▲１１▼のエレベーターに固定されたロープをはさむ▲３３▼の滑車又は板類等の間に▲１０▼のブレーキ用ロープをはさみ▲１１▼のえれベーたーのかごを停止する。【００４７】▲１１▼のエレベーターのかごが急上昇急下降の時、▲１▼の速度計の１〜複数のセンサーにより▲２▼の電気モーターが動き、▲１１▼のエレベーターのかごの外部に取付けられた▲４▼の機械的油圧的な伸縮機械にてブレーキ用ロープ又はかごをつっているロープを▲１１▼のかごの上部だけ又上部と下部で引張って寄せ合いかごを停止し、又は上昇下降する装置。【００４８】エレベーターのかごが急上昇急下降の時、請求項４記載の▲２３▼のブレーキ用機械にて▲１０▼のブレーキ用ロープを押え停止し、▲１０▼Ｂの上下に取付けたロープ又昇降路を一巡している▲１０▼Ｃのロープ或はかごをつっているロープ等をかごの上部又上部と下部で引張り寄せ合いエレベーターのかごを停止する装置。【００４９】請求項１・２・３・４・５・６・７・８記載の装置を使用し、それぞれエレベーターのかごを停止する方法。
【産業上の利用可能性】
【００５０】この発明はエレベーターのかごが急上昇急下降しても従来の電気モーター、ロープ巻上げドラム又ロープの制止或はガイドレールによるクサビ式等のブレーキではなくエレベーターのかごに取付けたブレーキ用機械や昇降路の上部又は上部と下部に取付けられたブレーキ用機械にてかごを停止するための電気を使用する方法と電気を使用しなくても停止出来る方法であり、産業上安心安全の利用の可能性は大きい。
【図面の簡単な説明】
【００５１】
【図１】速度計のセンサーにより、動力で伸縮機械が真中にあるネジより機械的にガイドレールに向かって踏ん張り、エレベーターのかごが急上昇急下降の時かごを一時停止する装置の立面図。
【図２】速度計のセンサーにより、動力で伸縮機械が真中にある油圧の動きによりガイドレールに向かって踏ん張り、エレベーターのかごが急上昇急下降の時かごを一時停止する装置の立面図。
【図３】図１の機械的なブレーキの平面図。
【図４】図２の油圧的なブレーキの平面図。
【図５】図１・図２の伸縮機械がガイドレールに対し踏ん張り、先端に車輪が付けてあり又ガイドレールの巾止めをしてエレベーターのかごを止めた時の平面図。
【図６】昇降路をエレベーターのかごが上下に動いている時、ブレーキ用ロープがかごから一巡し、エレベーターのかごが急上昇急下降の時ロープを押えるための機械を示す図。
【図７】エレベーターのかごが急上昇急下降した時、ブレーキ用のロープを押えエレベーターのかごの上の伸縮機械を引っ張りエレベーターのかごを一時停止した時のロープストッパーの機械を示す立面図。
【図８】エレベーターの上にある伸縮機械の曲がりの上点にブレーキ用のロープが平常の時つながっている立面図。
【図９】図８の曲った部分にハンドルがあり、かごが通常に動いている時の立面図。
【図１０】▲Ａ▼はエレベーターのかごが急上昇急下降の時、伸縮機械がブレーキ用のロープを引張り、より水平近くにガイドレールに向かって踏ん張っている立面図。▲Ｂ▼は伸縮機械がブレーキ用ロープに引張られて水平になった▲Ａ▼〜▲Ａ▼断面図。▲Ｃ▼は伸縮機械を上に引張り平常に戻した時の断面図。
【図１１】▲Ｄ▼は図９の伸縮機械が平常になった時の折り曲り部分の平面図。▲Ｅ▼は▲１７▼の伸縮機械が平常になった時のハンドルを上から見た▲Ｂ▼〜▲Ｂ▼平面図。
【図１２】エレベーターの昇降路の断面図で上下の所にブレーキ用機械があり、ブレーキ用ロープがかごと同時に上下するクサビを保持してつながっている断面図。
【図１３】ブレーキ用ロープを急上昇急下降の時、ブレーキ用機械で減速機と歯車のストッパーを表しているブレーキ用機械の仕組立面図。
【図１４】ブレーキ用機械の▲Ｃ▼〜▲Ｃ▼断面図。
【図１５】図１３のブレーキ用ロープが平常の時、ストッパーが元にもどっている詳細図。
【図１６】エレベーターのかごの上部に取付けられたガイドレールを保持し、クサビにより固定したときの▲Ｄ▼〜▲Ｄ▼断面図。
【図１７】図１６の▲Ｅ▼〜▲Ｅ▼断面図。
【図１８】電気モーターで機械的にネジ棒を回転させ、ブレーキ用ロープの両方をはさみ込みエレベーターのかごを停止している時の立面図。
【図１９】電気モーターで油圧的に伸縮機械を縮め、ブレーキ用ロープの両方をはさみ込みエレベーターのかごを停止している時の立面図。
【図２０】かごの上にある電気モーターで機械的にネジ棒でブレーキ用ロープの両方を引き寄せて、エレベーターのかごを停止している時の立面図。
【図２１】かごの上にある電気モーターで油圧的に伸縮機械でブレーキ用ロープの両方を引き寄せてエレベーターのかごを停止している時の立面図。
【図２２】昇降路の上にあるブレーキ用機械で両方のブレーキ用ロープを引き寄せ上に吊っている立面図。
【符号の説明】
【００５２】▲１▼…速度計センサー
▲２▼…電気モーター
▲３▼…伸縮機械の変形ネジ棒
▲４▼…伸縮機械
▲５▼…伸縮機械の先端にある車
▲６▼…ガイドレール
▲７▼…ガイドレールの巾止め
▲８▼…伸縮機械の真中にある油圧機
▲９▼…ブレーキ用ロープを押える機械
▲１０▼…ブレーキ用ロープ
▲１０▼Ａ…ブレーキ用ロープにつながるバネ
▲１０▼Ｂ…補助ブレーキ用ロープ
▲１１▼…エレベーターのかご
▲１２▼…昇降路
▲１３▼…滑車
▲１４▼…ブレーキ用ロープを押える機械を平常にもどすバネ
▲１５▼…ブレーキ用ロープを押える機械の滑車
▲１６▼…ハンドル
▲１７▼…踏ん張り機械
▲１８▼…踏ん張り機械の支点
▲１９▼…踏ん張り機械を上下するネジ棒
▲２０▼…滑車ガード板
▲２１▼…ブレーキ用機械▲９▼の支点図７
▲２２▼…ブレーキ用機械▲９▼のストッパーピン図７
▲２３▼…ブレーキ用機械
▲２４▼…ブレーキ用ロープのドラム
▲２５▼…歯車
▲２６▼…ロープの押さえ、歯車のストッパー
▲２７▼…ガイドレールを保持するためのかごに固定された柱
▲２８▼…クサビ
▲２９▼…ガイドレールを保持するための滑車
▲３０▼…ガイドレールを保持するための側板
▲３１▼…弾力性のあるゴム等のロープ
▲３２▼…ロープをはさむ滑車
▲３３▼…エレベーターに固定されたロープをはさむ滑車
【図１】
2009084042.tif 000003
【図２】
2009084042.tif 000004
【図３】
2009084042.tif 000005
【図４】
2009084042.tif 000006
【図５】
2009084042.tif 000007
【図６】
2009084042.tif 000008
【図７】
2009084042.tif 000009
【図８】
2009084042.tif 000010
【図９】
2009084042.tif 000011
【図１０】
2009084042.tif 000012
【図１１】
2009084042.tif 000013
【図１２】
2009084042.tif 000014
【図１３】
2009084042.tif 000015
【図１４】
2009084042.tif 000016
【図１５】
2009084042.tif 000017
【図１６】
2009084042.tif 000018
【図１７】
2009084042.tif 000019
【図１８】
2009084042.tif 000020
【図１９】
2009084042.tif 000021
【図２０】
2009084042.tif 000022
【図２１】
2009084042.tif 000023
【図２２】
2009084042.tif 000024